(57)【要約】【課題】  入力側と出力側の特性インピーダンスを均一にし、挿入損失を低減して、信号の伝達効率の良好なアイソレータを提供する。【解決手段】  本発明のアイソレータは、第１の中心導体５の交叉する導体部５ｂが第２の中心導体６の交叉する導体部６ｂよりもフェライト部材４に近い位置に配置されると共に、第３の中心導体７のアース部７ｄ側において、第３の中心導体７の第１の導体７ｂと第１の中心導体５のポート部５ｄとの間の間隔Ｄ１は、第３の中心導体７の第２の導体７ｃと第２の中心導体６のポート部６ｄとの間の間隔Ｄ２よりも小さくしたため、第１の中心導体５のポート部５ｄ側の特性インピーダンスが小さくなって、第１の中心導体５のポート部５ｄ（入力側）と第２の中心導体６のポート部６ｄ（出力側）の特性インピーダンスを均一にでき、挿入損失を低減して、信号の伝達効率の良好なものが得られる。【選択図】        図２
2005244585.tif 000002
【特許請求の範囲】
【請求項１】
平板状のフェライト部材と、このフェライト部材上に位置し、誘電体を挟んで上下方向の異なる面に設けられて、上下方向に一部が交叉する第１，第２，第３の中心導体と、この中心導体上に配置された磁石と、この磁石を覆うように配置された第１のヨークと、前記フェライト部材の下面側に配置され、前記第１のヨークとで磁気閉回路を構成する第２のヨークとを備え、前記第１，第２の中心導体は、前記フェライト部材上に位置する導体部と、この導体部に一端側に位置するアース部と、前記導体部の他端側に位置する入出力端側であるポート部を有し、前記第３の中心導体は、前記フェライト部材上に位置する二条の第１，第２の導体と、この導体に一端側に位置するアース部と、前記導体の他端側に位置するポート部を有し、前記フェライト部材上には、順次、前記第１，第２，第３の中心導体が配置されて、前記第１の中心導体の交叉する前記導体部が前記第２の中心導体の交叉する前記導体部よりも前記フェライト部材に近い位置に、また、前記第２の中心導体の交叉する前記導体部が前記第３の中心導体の交叉する前記導体よりも前記フェライト部材に近い位置に配置されると共に、前記第１，第２の中心導体の前記ポート部間に位置する前記第３の中心導体の前記アース部側において、前記第１の導体が前記第１の中心導体の前記ポート部側に、また、前記第２の導体が前記第２の中心導体の前記ポート部側に配置され、前記第３の中心導体の前記アース部側の前記第１の導体と前記第１の中心導体の前記ポート部との間の間隔は、前記第３の中心導体の前記アース部側の前記第２の導体と前記第２の中心導体の前記ポート部との間の間隔よりも小さくしたことを特徴とするアイソレータ。
【請求項２】
前記第３の中心導体の前記ポート部は、前記第１，第２の中心導体の前記アース部間に位置し、前記第１，第２の導体は、前記第３の中心導体の前記ポート部から互いに異なる角度を持って形成されると共に、前記第１の導体は、前記ポート部から前記第２の導体よりも大きく傾けて形成され、前記第３の中心導体の前記アース部側の前記第１の導体と前記第１の中心導体の前記ポート部との間の間隔が前記第３の中心導体の前記アース部側の前記第２の導体と前記第２の中心導体の前記ポート部との間の間隔よりも小さいことを特徴とする請求項１記載のアイソレータ。
【請求項３】
前記フェライト部材は多角形で形成され、前記第３の中心導体の前記第１，第２の導体が前記フェライト部材の互いに対向する２辺を横切る方向に延びて配置されたことを特徴とする請求項１、又は２記載のアイソレータ。
【請求項４】
前記第１，第２の導体が同じ幅寸法で形成されたことを特徴とする請求項１から３の何れかに記載のアイソレータ。
【発明の詳細な説明】
【技術分野】
【０００１】
本発明は携帯電話機等の移動体通信機の送信部等に適用されるアイソレータに関する。
【背景技術】
【０００２】
従来のアイソレータの図面を説明すると、図６は従来のアイソレータの分解斜視図、図７は従来のアイソレータの要部の平面図、図８は従来のアイソレータに係る中心導体の展開図である。
【０００３】
次に、従来のアイソレータの構成を図６〜図８に基づいて説明すると、従来のアイソレータは、箱形の第１のヨーク５１と、この第１のヨーク５１内に配置された円板状の磁石５２と、この磁石５２の下部に配置された平板状のフェライト部材５３と、１２０度の間隔でフェライト部材５３に取り付けられ、一部が互いに交叉した状態となった金属板からなる三つの第１，第２，第３の中心導体５４、５５，５６と、フェライト部材５３を保持する箱形の樹脂ケース５７と、樹脂ケース５７の下部に配置されたコ字状の第２のヨーク５８を有する。
【０００４】
そして、フェライト部材５３は、２辺が互いに対向する長辺５３ａと、２辺が互いに対向する短辺５３ｂとを有した長方形状で構成されている。
【０００５】
また、第１，第２，第３の中心導体５４，５５，５６は、図８に示すように、金属板が打ち抜きされて形成され、中央に位置した四角形状のアース部７０から外方に延びて形成されている。
【０００６】
そして、第１，第２，第３の中心導体５４，５５，５６のそれぞれは、長手方向にスリット５４ａ、５５ａ、５６ａが設けられて２分割され、互いに平行で同じ幅を有した二条の導体５４ｂ、５５ｂ、５６ｂと、この導体５４ｂ、５５ｂ、５６ｂの一端部側に位置する第１，第２，第３のアース部５４ｃ、５５ｃ、５６ｃと、導体５４ｂ、５５ｂ、５６ｂの他端部側に位置する第１，第２，第３の第１，第２，第３のポート部５４ｄ、５５ｄ、５６ｄとを有する。
【０００７】
また、これ等の第１，第２，第３の中心導体５４，５５，５６は、先ず、アース部７０がフェライト部材５３の下面に配置され、この状態で、順次、第１，第２，第３の中心導体５４，５５，５６がフェライト部材５３の側面と上面に沿って折り曲げられて配置されている。
【０００８】
その結果、第１の中心導体５４の交叉する導体５４ｂは、第２の中心導体５５の交叉する導体５５ｂよりもフェライト部材５３に近い位置に、また、第２の中心導体５５の交叉する導体５５ｂは、第３の中心導体５６の交叉する導体５６ｂよりもフェライト部材５３に近い位置に配置される。
【０００９】
更に、第３の中心導体５６の第３のアース部５６ｃは、第１，第２の中心導体５４，５５の第１，第２のポート部５４ｄ、５５ｄ間に位置すると共に、第３の中心導体５６の第３のポート部５６ｄは、第１，第２の中心導体５４，５５の第１，第２のアース部５４ｃ、５５ｃ間に位置して配置されている。
【００１０】
そして、第３の中心導体５６の第３のポート部５６ｄから延びる二条の導体５６ｂは、９０度の角度で互いに平行に延び、図７に示すように第３のアース部５６ｃ側において、導体５６ｂと第１の中心導体５４のポート部５４ｄとの間隔Ｓ１と、導体５６ｂと第２の中心導体５５のポート部５５ｄとの間隔Ｓ２は同じ寸法となっている。
【００１１】
また、ここでは図示しないが、フェライト部材５３の上面に位置する第１，第２，第３の中心導体５４，５５，５６のそれぞれは、誘電体を介して絶縁された状態で上下方向に配置されている。
【００１２】
また、樹脂ケース５７には、孔５７ａを有する底壁５７ｂが設けられると共に、この底壁５７ｂには、一部が底壁５７ｂ面と樹脂ケース５７の外部に露出した状態で、入出力端子５９、６０とアース端子６１が埋設されている。
そして、第１，第２，第３の中心導体５４，５５，５６を取り付けたフェライト部材５３は、孔５７内に配置されて、第１，第２，第３の中心導体５４，５５，５６の一端側であるアース部７０が第２のヨーク５８に接続されている。
【００１３】
チップ型のコンデンサ６２，６３，６４とチップ型の抵抗器６５は、孔５７ａの周囲に配置され、コンデンサ６２，６３，６４の下面電極と抵抗器６５の一端側の電極６５ａは、それぞれアース端子６１に接続されている。
そして、第１、第２の中心導体５４、５５のポート部５４ｄ、５５ｄのそれぞれは、コンデンサ６２，６３の上面電極に半田付けされると共に、第３の中心導体５６のポート部５６ｄは、コンデンサ６４の上面電極と抵抗器６５の他端側の電極６５ｂの上面に半田付して接続されている。
【００１４】
そして、第１，第２のヨーク５１，５８で磁石５２，フェライト部材５３、及び樹脂ケース５７を挟持した状態で、第１，第２のヨーク５１，５８を結合して、第１，第２のヨーク５１，５８とで磁気閉回路が形成され、アイソレータが構成されている。（例えば、特許文献１参照）
【００１５】
しかし、従来のアイソレータは、第１の中心導体５４の交叉する導体５４ｂが第２の中心導体の交叉する導体５５ｂよりもフェライト部材５３に近い位置に配置されると共に、第３の中心導体５６は、アース部５６ｃ側において、導体５６ｂと第１の中心導体５４のポート部５４ｄとの間隔Ｓ１と、導体５６ｂと第２の中心導体５５のポート部５５ｄとの間隔Ｓ２は同じ寸法となっているため、第１，第２の中心導体５４，５５における特性インピーダンスを一致させることができず、挿入損失が大きくなって、信号の伝達効率が悪くなる。
【００１６】
【特許文献１】特開２００１−９４３１１号公報
【発明の開示】
【発明が解決しようとする課題】
【００１７】
従来のアイソレータは、第１の中心導体５４の交叉する導体５４ｂが第２の中心導体の交叉する導体５５ｂよりもフェライト部材５３に近い位置に配置されると共に、第３の中心導体５６は、アース部５６ｃ側において、導体５６ｂと第１の中心導体５４のポート部５４ｄとの間隔Ｓ１と、導体５６ｂと第２の中心導体５５のポート部５５ｄとの間隔Ｓ２は同じ寸法となっているため、第１，第２の中心導体５４，５５における特性インピーダンスを一致させることができず、挿入損失が大きくなって、信号の伝達効率が悪くなるという問題がある。
【００１８】
そこで、本発明は入力側と出力側の特性インピーダンスを均一にし、挿入損失を低減して、信号の伝達効率の良好なアイソレータを提供することを目的とする。
【課題を解決するための手段】
【００１９】
上記課題を解決するための第１の解決手段として、平板状のフェライト部材と、このフェライト部材上に位置し、誘電体を挟んで上下方向の異なる面に設けられて、上下方向に一部が交叉する第１，第２，第３の中心導体と、この中心導体上に配置された磁石と、この磁石を覆うように配置された第１のヨークと、前記フェライト部材の下面側に配置され、前記第１のヨークとで磁気閉回路を構成する第２のヨークとを備え、前記第１，第２の中心導体は、前記フェライト部材上に位置する導体部と、この導体部に一端側に位置するアース部と、前記導体部の他端側に位置する入出力端側であるポート部を有し、前記第３の中心導体は、前記フェライト部材上に位置する二条の第１，第２の導体と、この導体に一端側に位置するアース部と、前記導体の他端側に位置するポート部を有し、前記フェライト部材上には、順次、前記第１，第２，第３の中心導体が配置されて、前記第１の中心導体の交叉する前記導体部が前記第２の中心導体の交叉する前記導体部よりも前記フェライト部材に近い位置に、また、前記第２の中心導体の交叉する前記導体部が前記第３の中心導体の交叉する前記導体よりも前記フェライト部材に近い位置に配置されると共に、前記第１，第２の中心導体の前記ポート部間に位置する前記第３の中心導体の前記アース部側において、前記第１の導体が前記第１の中心導体の前記ポート部側に、また、前記第２の導体が前記第２の中心導体の前記ポート部側に配置され、前記第３の中心導体の前記アース部側の前記第１の導体と前記第１の中心導体の前記ポート部との間の間隔は、前記第３の中心導体の前記アース部側の前記第２の導体と前記第２の中心導体の前記ポート部との間の間隔よりも小さくした構成とした。
【００２０】
また、第２の解決手段として、前記第３の中心導体の前記ポート部は、前記第１，第２の中心導体の前記アース部間に位置し、前記第１，第２の導体は、前記第３の中心導体の前記ポート部から互いに異なる角度を持って形成されると共に、前記第１の導体は、前記ポート部から前記第２の導体よりも大きく傾けて形成され、前記第３の中心導体の前記アース部側の前記第１の導体と前記第１の中心導体の前記ポート部との間の間隔が前記第３の中心導体の前記アース部側の前記第２の導体と前記第２の中心導体の前記ポート部との間の間隔よりも小さい構成とした。
【００２１】
また、第３の解決手段として、前記フェライト部材は多角形で形成され、前記第３の中心導体の前記第１，第２の導体が前記フェライト部材の互いに対向する２辺を横切る方向に延びて配置された構成とした。
また、第４の解決手段として、前記第１，第２の導体が同じ幅寸法で形成された構成とした。
【発明の効果】
【００２２】
本発明のアイソレータは、平板状のフェライト部材と、このフェライト部材上に位置し、誘電体を挟んで上下方向の異なる面に設けられて、上下方向に一部が交叉する第１，第２，第３の中心導体と、この中心導体上に配置された磁石と、この磁石を覆うように配置された第１のヨークと、フェライト部材の下面側に配置され、第１のヨークとで磁気閉回路を構成する第２のヨークとを備え、第１，第２の中心導体は、フェライト部材上に位置する導体部と、この導体部に一端側に位置するアース部と、導体部の他端側に位置する入出力端側であるポート部を有し、第３の中心導体は、フェライト部材上に位置する二条の第１，第２の導体と、この導体に一端側に位置するアース部と、導体の他端側に位置するポート部を有し、フェライト部材上には、順次、第１，第２，第３の中心導体が配置されて、第１の中心導体の交叉する導体部が第２の中心導体の交叉する導体部よりもフェライト部材に近い位置に、また、第２の中心導体の交叉する導体部が第３の中心導体の交叉する導体よりもフェライト部材に近い位置に配置されると共に、第１，第２の中心導体のポート部間に位置する第３の中心導体のアース部側において、第１の導体が第１の中心導体のポート部側に、また、第２の導体が第２の中心導体のポート部側に配置され、第３の中心導体のアース部側の第１の導体と第１の中心導体のポート部との間の間隔は、第３の中心導体のアース部側の第２の導体と第２の中心導体のポート部との間の間隔よりも小さくした構成とした。
即ち、第１の中心導体の交叉する導体部が第２の中心導体の交叉する導体部よりもフェライト部材に近い位置に配置されると共に、第１，第２の中心導体のポート部間に位置する第３の中心導体のアース部側において、第１の導体が第１の中心導体のポート部側に、また、第２の導体が第２の中心導体のポート部側に配置され、第３の中心導体のアース部側の第１の導体と第１の中心導体のポート部との間の間隔は、第３の中心導体のアース部側の第２の導体と第２の中心導体のポート部との間の間隔よりも小さくしたため、第１の中心導体のポート部（入力側）の特性インピーダンスが小さくなって、第１の中心導体のポート部（入力側）と第２の中心導体のポート部（出力側）の特性インピーダンスを均一にでき、挿入損失を低減して、信号の伝達効率の良好なものが得られる。
【００２３】
また、第３の中心導体のポート部は、第１，第２の中心導体のアース部間に位置し、第１，第２の導体は、第３の中心導体のポート部から互いに異なる角度を持って形成されると共に、第１の導体は、ポート部から第２の導体よりも大きく傾けて形成され、第３の中心導体のアース部側の第１の導体と第１の中心導体のポート部との間の間隔が第３の中心導体のアース部側の第２の導体と第２の中心導体のポート部との間の間隔よりも小さい構成としたため、第３の中心導体の第１，第２の導体は、第２の導体よりも第１の導体を大きく傾けた状態で形成すれば良く、その構成が簡単で、生産性の良好なものが得られる。
【００２４】
また、フェライト部材は多角形で形成され、第３の中心導体の第１，第２の導体がフェライト部材の互いに対向する２辺を横切る方向に延びて配置されたため、フェライト部材に対する第１，第２の導体の位置が安定して、性能の良好なものが得られる。
【００２５】
また、第１，第２の導体が同じ幅寸法で形成されたため、第１，第２の導体の形成が容易であると共に、第１，第２の導体の幅寸法が精度良く形成できて、性能の良好なものが得られる。
【発明を実施するための最良の形態】
【００２６】
本発明のアイソレータの図面を説明すると、図１は本発明のアイソレータの第１実施例に係る分解斜視図、図２は本発明のアイソレータの第１実施例に係る要部の平面図、図３は本発明のアイソレータの第１実施例に係る中心導体の展開図、図４は本発明のアイソレータの第２実施例に係る要部の拡大平面図、図５は本発明のアイソレータの等価回路図である。
【００２７】
次に、本発明のアイソレータの第１実施例の構成を図１〜図３に基づいて説明すると、箱形の磁性板（鉄板等）からなる第１のヨーク１は、正方形の上板１ａと、この上板１ａの４辺から下方に折り曲げられた側板１ｂとを有する。
円板状の磁石２は、その上面が上板１ａの内面にに接触した状態で、第１のヨーク１に適宜手段によって取り付けられている。
【００２８】
コ字状の磁性板（鉄板等）からなる第２のヨーク３は、四角形の底板３ａと、この底板３ａの対向する辺から上方に折り曲げられた対向する一対の側板３ｂとを有する。
そして、この第２のヨーク３は、底板３ａが上板１ａと対向して配置された状態で、その一対の側板３ｂが第１のヨーク１の一対の側板１ｂと結合されて、磁気閉回路が形成される。
【００２９】
ＹＩＧ（Ｙｔｔｒｉｕｍ  ｉｒｏｎ  ｇａｒｎｅｔ）等からなる平板状のフェライト部材４は、２辺が互いに対向する長辺４ａと、２辺が互いに対向する短辺４ｂとを有した長方形状で構成されている。
【００３０】
銅等の薄い導電板からなる第１、第２，第３の中心導体５、６，７は、図３に示すように、金属板が打ち抜きされて形成され、中央に位置した四角形状のアース部８から外方に延びて形成されている。
【００３１】
そして、第１，第２の中心導体５，６のそれぞれは、長手方向にスリット５ａ、６ａが設けられて２分割され、互いに平行で同じ幅を有した二条の導体部５ｂ、６ｂと、この導体部５ｂ、６ｂの一端側に位置する第１，第２のアース部５ｃ、６ｃと、導体部５ｂ、６ｂの他端側に位置する入出力端側である第１，第２のポート部５ｄ、６ｄとを有する。
【００３２】
また、第３の中心導体７は、長手方向に略Ｖ字状のスリット７ａを設けて２分割され、互いに非平行状態で同じ幅寸法の二条の第１，第２の導体７ｂ、７ｃと、この第１，第２の導体７ｂ、７ｃの一端側に位置する第３のアース部７ｄと、第１，第２の導体７ｂ、７ｃの他端側に位置する第３のポート部７ｅとを有する。
【００３３】
そして、第１，第２の導体７ｂ、７ｃは、図２，図３に示すように、第３ポート部７ｅから互いに異なる角を持って形成されると共に、第１の導体７ｂは、第３のポート部７ｅから第２の導体７ｃよりも大きく傾けられた状態で形成されている。
【００３４】
また、これ等の第１，第２，第３の中心導体５，６，７は、先ず、アース部８がフェライト部材４の下面に配置され、この状態で、順次、第１，第２，第３の中心導体５，６，７がフェライト部材４の側面と上面に沿って折り曲げられて配置されて、第１，第２の導体７ｂ、７ｃは、フェライト部材４の互いに対向する長辺（２辺）４ａを横切る方向に延びて配置されている。
【００３５】
その結果、第１の中心導体５の交叉する導体部５ｂは、第２の中心導体６の交叉する導体部６ｂよりもフェライト部材５３に近い位置に、また、第２の中心導体６の交叉する導体部６ｂは、第３の中心導体７の交叉する導体７ｂ、７ｃよりもフェライト部材４に近い位置に配置される。
【００３６】
更に、第３の中心導体７の第３のアース部７ｄは、第１，第２の中心導体５，６の第１，第２のポート部５ｄ、６ｄ間に位置すると共に、第３の中心導体７の第３のポート部７ｅは、第１，第２の中心導体５、６の第１，第２のアース部５ｃ、６ｃ間に位置して配置されている。
【００３７】
そして、第３の中心導体７の第３のアース部７ｄ側では、図２に示すように、第１の導体７ｂと第１の中心導体５の第１のポート部５ｄとの間隔Ｄ１が第２の導体７ｃと第２の中心導体６の第２のポート部６ｄとの間隔Ｄ２よりも小さくなっている。
これによって、フェライト部材４に近い位置にある第１の中心導体５の第１のポート部（入力側）５ｄの特性インピーダンスを小さくしている。
【００３８】
なお、この実施例では、第２の中心導体６よりも第１の中心導体５をフェライト部材４に近くして、間隔Ｄ１＜間隔Ｄ２としたが、第１の中心導体５よりも第２の中心導体６をフェライト部材４に近くして、間隔Ｄ２＜間隔Ｄ１としたものでも良い。
【００３９】
この時、第１，第２，第３の中心導体５，６，７は、誘電体（図示せず）を挟んで上下方向の異なる面に１２０度の間隔で設けられて、上下方向に一部が交叉して配置されている。
【００４０】
そして、第１，第２の中心導体５，６，７がフェライト部材４に取り付けられた際、第１，第２の中心導体５，６は、短辺４ｂ側に位置し、フェライト部材４の長面側を横切るように配置されると共に、第３の中心導体７は、長辺４ａ側に位置し、フェライト部材４の短面側を横切るように配置されている。
【００４１】
また、樹脂ケース９には、孔９ａを有する底壁９ｂが設けられると共に、この底壁９ｂには、一部が底壁９ｂ面と樹脂ケース９の外部に露出した状態で、入出力端子１０、１１とアース端子１２が埋設されている。
そして、第１，第２，第３の中心導体５，６，７を取り付けたフェライト部材４が孔９ａ内に配置された際、樹脂ケース９の下部に配置された第２のヨーク３の底壁３ｂには、第１，第２，第３の中心導体５，６，７の一端側であるアース部８が接続された状態となる。
【００４２】
チップ型の第１，第２，第３のコンデンサＣ１，Ｃ２，Ｃ３とチップ型の抵抗器Ｒは、孔９ａの周囲に配置され、第１，第２，第３のコンデンサＣ１，Ｃ２，Ｃ３の下面電極と抵抗器Ｒの一端側の電極１３ａは、それぞれアース端子１２に接続されている。
そして、第１、第２の中心導体５，６の第１，第２のポート部５ｄ、６ｄのそれぞれは、第１，第２のコンデンサＣ１，Ｃ２の上面電極に半田付けされると共に、第３の中心導体７の第３のポート部７ｅは、第３のコンデンサＣ３の上面電極と抵抗器Ｒの他端側の電極１３ｂの上面に半田付して接続されている。
【００４３】
そして、第１，第２のヨーク１，３で磁石２，フェライト部材４、及び樹脂ケース９を挟持した状態で、第１，第２のヨーク１，３を結合して、第１，第２のヨーク１，３とで磁気閉回路が形成され、本発明のアイソレータが構成されている。
【００４４】
また、図５は、本発明のアイソレータの等価回路図を示し、第１，第２，第３の中心導体５，６，７の一端側は、アース部８によって第１，第２，第３のアース部５ｃ、６ｃ、７ｄが接地され、第１，第２の中心導体５，６の他端側には、接地された第１，第２のコンデンサＣ１，Ｃ２が接続され、入出力端子となる第１，第２のポート部５ｄ、６ｄが設けられると共に、第３の中心導体７の他端側には、接地された第３のコンデンサＣ３と抵抗器Ｒが接続された第３のポート部７ｅが設けられている。
【００４５】
また、図４は本発明のアイソレータの第２実施例に係り、この第２実施例の構成を説明すると、長方形状のフェライト部材４の角部には、切り落とし部４ｃが設けられて八角形状となし、第１，第２の中心導体５，６は、切り落とし部４ｃに位置した状態で、斜向かいの切り落とし部４ｃ間を横切るように配置されると共に、第３の中心導体は７は、長辺４ａ側に位置して、短面側を横切るように配置されたものである。
【００４６】
そして、第１，第２の中心導体５，６の導体部５ｂ、６ｂは、屈曲した形状をなすと共に、その端部に設けられた第１，第２のポート部５ｄ、６ｄは、一方の長辺４ａ側に配置され、また、第３の中心導体７の第１，第２の導体７ｂ、７ｃは、第１の導体７ｂと第１の中心導体５の第１のポート部５ｄとの間隔Ｄ１が第２の導体７ｃと第２の中心導体６の第２のポート部６ｄとの間隔Ｄ２よりも小さくなっている。
【００４７】
その他の構成は、上記第１実施例と同様であるので、同一部品に同一番号を付し、ここではその説明を省略する。
【図面の簡単な説明】
【００４８】
【図１】本発明のアイソレータの第１実施例に係る分解斜視図。
【図２】本発明のアイソレータの第１実施例に係る要部の平面図。
【図３】本発明のアイソレータの第１実施例に係る中心導体の展開図。
【図４】本発明のアイソレータの第２実施例に係る要部の拡大平面図。
【図５】本発明のアイソレータの等価回路図。
【図６】従来のアイソレータの分解斜視図。
【図７】従来のアイソレータの要部の平面図。
【図８】従来のアイソレータに係る中心導体の展開図。
【符号の説明】
【００４９】
１：第１のヨーク
１ａ：上板
１ｂ：側板
２：磁石
３：第２のヨーク
３ａ：底板
３ｂ：側板
４：フェライト部材
４ａ：長辺
４ｂ：短辺
４ｃ：切り落とし部
５：第１の中心導体
５ａ：スリット
５ｂ：導体部
５ｃ：第１のアース部
５ｄ：第１のポート部
６：第２の中心導体
６ａ：スリット
６ｂ：導体部
６ｃ：第２のアース部
６ｄ：第２のポート部
７：第３の中心導体
７ａ：スリット
７ｂ：第１の導体
７ｃ：第２の導体
７ｄ：第３のアース部
７ｅ：第３のポート部
Ｄ１：間隔
Ｄ２：間隔
８：アース部
９：樹脂ケース
９ａ：孔
９ｂ：底壁
１０：入出力端子
１１：入出力端子
１２：アース端子
Ｃ１：第１のコンデンサ
Ｃ２：第２のコンデンサ
Ｃ３：第３のコンデンサ
Ｒ：抵抗器
１３ａ：電極
１３ｂ：電極
【図１】
2005244585.tif 000003
【図２】
2005244585.tif 000004
【図３】
2005244585.tif 000005
【図４】
2005244585.tif 000006
【図５】
2005244585.tif 000007
【図６】
2005244585.tif 000008
【図７】
2005244585.tif 000009
【図８】
2005244585.tif 000010